(57)【要約】【課題】手を水につけることのない簡単な作業によって効率的に米研ぎを行うことができ、しかも構成がシンプルであって収納が容易な米研ぎ器を提案する。【解決手段】本発明を、椀状容器１内に、米を溜め置くことのできるザル状容器２を配置させ、椀状容器１内に水を注入したうえで攪拌具３を用いて米研ぎを行う米研ぎ器とする。ザル状容器２の上縁部２０には、使用者が片手で把持することのできる把持部９と、椀状容器１の上縁部４に係止する凸片１０とを設ける。ザル状容器２の底２ａには、全面にわたって多数の通水孔を設ける。椀状容器１の上縁部４には、ザル状容器２の把持部９が嵌合する凹溝５を設け、椀状容器１の側壁部６には、排水孔７を設ける。【選択図】図１
2010207402.tif 000002
【特許請求の範囲】
【請求項１】
椀状容器内に、米を溜め置くことのできるザル状容器を配置させ、椀状容器内に水を注入したうえで攪拌具を用いて米研ぎを行う米研ぎ器であって、ザル状容器の上縁部には、使用者が片手で把持することのできる把持部と、椀状容器の上縁部に係止する凸片とを設け、ザル状容器の底には、その全面にわたって多数の通水孔を設け、椀状容器の上縁部には、ザル状容器の把持部が嵌合する凹溝を設け、椀状容器の側壁部には、排水孔を設けることを特徴とする米研ぎ器。
【請求項２】
椀状容器の排水孔は、ザル状容器を配置したときに該ザル状容器の底よりも上方となる位置に設けたものであることを特徴とする請求項１に記載の米研ぎ器。
【請求項３】
ザル状容器の凸片は、該ザル状容器の把持部の中心軸を挟んだ線対称位置に、対を成すように設けたものであることを特徴とする請求項１又は２に記載の米研ぎ器。
【請求項４】
ザル状容器の凹溝に、滑り止めのゴム部材を配したことを特徴とする請求項１〜３のいずれか一項に記載の米研ぎ器。
【請求項５】
ザル状容器の凹溝を含む上縁部全体に、滑り止めのゴム部材を配したことを特徴とする請求項１〜３のいずれか一項に記載の米研ぎ器。
【請求項６】
椀状容器の外底部に、滑り止めのゴム部材を配したことを特徴とする請求項１〜５のいずれか一項に記載の米研ぎ器。
【発明の詳細な説明】
【技術分野】
【０００１】
本発明は、手を濡らさずに簡単に米研ぎを行うことのできる米研ぎ器に関する。
【背景技術】
【０００２】
家庭内における米研ぎ作業は、水の中に指先を入れ、水中で米をかき混ぜながら行うことが一般的である。しかし、このような米研ぎ作業は、あかぎれ等の手荒れの原因ともなる。また、特に女性は指先にネイルアートを施していることも多く、手での米研ぎ作業を行う際に、ネイルアートに損傷を生じやすいという問題がある。
【０００３】
上記問題を解消するものとして、特許文献１には、図４に示すような米研ぎ器が提案されている。この米研ぎ器は、椀状容器５０内に、米を溜め置くことのできるザル状容器６０を配置し、椀状容器５０内に水を注入したうえで攪拌具（図示せず）を用いて米研ぎを行うものである。
【０００４】
椀状容器５０の底部には排水孔５１を開口させており、該排水孔５１を囲む位置からは筒状の突出枠５２を上方に突出させている。ザル状容器６０は、その底部６１を通水不能に設けたものであり、このザル状容器６０の底部６１を椀状容器５０の突出枠５２上に載置してセットするようになっている。
【０００５】
したがって、図４に示す従来の米研ぎ器では、米を研ぐ最中の水流や攪拌具が当たる際の衝撃によって、椀状容器５０やザル状容器６０が不意に動いてしまいやすいという問題がある。また、排水孔５１からの排水を行う際には、把持部６２を掴んでザル状容器６０をいったん持ち上げる必要があり（図中の矢印参照）、面倒な作業が要求されるとともに、持ち上げ作業の際に椀状容器５０が滑りやすいという問題もある。さらに、攪拌具によって椀状容器５０内の水を攪拌させるとき、ザル状容器６０の通水不能な底部６１近傍では水流が起きづらく、ザル状容器６０の底に溜まる米を十分にかき混ぜにくいという問題もある。
【先行技術文献】
【特許文献】
【０００６】
【特許文献１】実開昭５９−１６２８３６号公報
【発明の概要】
【発明が解決しようとする課題】
【０００７】
本発明は上記問題点に鑑みて発明したものであって、手を水につけることのない簡単な作業によって効率的に米研ぎを行うことができ、しかも構成がシンプルであって収納が容易なものとして提案することを、課題とする。
【課題を解決するための手段】
【０００８】
上記課題を解決するために本発明を、椀状容器１内に、米を溜め置くことのできるザル状容器２を配置させ、椀状容器１内に水を注入したうえで攪拌具３を用いて米研ぎを行う米研ぎ器とする。ザル状容器２の上縁部２０には、使用者が片手で把持することのできる把持部９と、椀状容器１の上縁部４に係止する凸片１０とを設ける。ザル状容器２の底２ａには、その全面にわたって多数の通水孔を設ける。椀状容器１の上縁部４には、ザル状容器２の把持部９が嵌合する凹溝５を設け、椀状容器１の側壁部６には、排水孔７を設ける。
【０００９】
本発明の米研ぎ器においては、ザル状容器２の把持部９を椀状容器１の凹溝５内に上方から嵌合させ、ザル状容器２の凸片１０を椀状容器１の上縁部４に係止させた状態で、ザル状容器２内に米を供給し、椀状容器１内に水を注入する。使用者は把持部９を掴んでザル状容器２に対して上方から負荷Ｆをかけながら、攪拌具３によってザル状容器２内の米を水中で攪拌させる。
【００１０】
この簡単な作業により、濡れたシンク底面８０等で作業を行う場合であっても、椀状容器１やザル状容器２が不意に動いてしまうことなく安定的に米研ぎを行うことができる。しかも、構成がシンプルであるから、収納にも場所を要さない。
【００１１】
また、ザル状容器２は、その上縁部２０に設けた把持部９や凸片１０を介して椀状容器１に支持させる構成であるから、ザル状容器２の底２ａと椀状容器１との間には、スペースＳが確保される。このスペースＳ内において生じさせた水流は、ザル状容器２の底２ａの全面にわたって設けた多数の通水孔を通じて、該ザル状容器２内の米を下方からも効率的に攪拌させる。
【００１２】
なお、本発明の米研ぎ器において、椀状容器１の排水孔７は、ザル状容器２を配置したときに該ザル状容器２の底２ａよりも上方となる位置に設けることが好ましい。このようにすることで、ザル状容器２の底２ａよりも下方に形成されるスペースＳ内で常に水流を形成し、ザル状容器２内の米を下方から攪拌することができる。
【００１３】
また、本発明の米研ぎ器において、ザル状容器２の凸片１０は、該ザル状容器２の把持部９の中心軸Ｃを挟んだ線対称位置に、対を成すように設けたものであることが好ましい。このようにすることで、ザル状容器２の左右揺動方向のがたつきを確実に防止することができる。
【００１４】
また、本発明の米研ぎ器においては、米研ぎ作業中のがたつきをさらに確実に防止するために、ザル状容器２の凹溝５や、ザル状容器２の凹溝５を含む上縁部２０全体や、さらには椀状容器１の外底部に、滑り止めのゴム部材８を配することが好ましい。
【００１５】
このようにしたときには、使用者が把持部９にかける負荷Ｆが、各ゴム部材８での滑り抵抗を増大させるように作用する。したがって、ザル状容器２や椀状容器１が不意に動くことがさらに確実に防止される。また、各ゴム部材８の弾性によって、仮に椀状容器１やザル状容器２にがたつきが生じたとしても、その際に生じる音を消すことができる。
【発明の効果】
【００１６】
本発明は、手を水につけることのない簡単な作業によって効率的に米研ぎを行うことができ、しかも構成がシンプルであって収納が容易であるという効果を奏する。
【図面の簡単な説明】
【００１７】
【図１】本発明の実施形態における一例の米研ぎ器の説明図である。
【図２】同上の米研ぎ器の椀状容器を示し、（ａ）は平面図、（ｂ）は側面図である。
【図３】同上の米研ぎ器のザル状容器を示し、（ａ）は平面図、（ｂ）は側面図である。
【図４】従来の米研ぎ器を示す側断面図である。
【発明を実施するための形態】
【００１８】
本発明を添付図面に示す実施形態に基づいて説明する。
【００１９】
図１には、本発明の実施形態における一例の米研ぎ器を示している。本発明の米研ぎ器は、半球形状を成す椀状容器１と、椀状容器１よりも小径の半球形状を成すザル状容器２と、片手で使用可能な攪拌具３とで構成される。
【００２０】
図２に示すように、椀状容器１において平面視円形状を成すように形成される上縁部４には、その一部を凹ませた形状の凹溝５を設けてある。椀状容器１の側壁部６には、複数の排水孔７を貫通形成してある。各排水孔７には、鳩目等の縁取り金具１５をかしめ固定し、椀状容器１が破損を生じることがないように補強を施している。
【００２１】
図示例では、排水孔７を同一高さに３箇所配してあるが、排水孔７の数としてはこれに限定されない。つまり。排水孔７は、椀状容器１の側壁部６に一つ又は複数を貫通形成してあればよい。
【００２２】
椀状容器１の外底部には、滑り止めを行うためのゴム部材８を固定してある。椀状容器１の上縁部４にも、凹溝５を含む全体に、同様の滑り止めのゴム部材８を固定してある。以下において、上縁部４側のゴム部材８を区別する場合には符号「８ａ」を付し、外底部側のゴム部材８を区別する場合には符号「８ｂ」を付す。
【００２３】
図３に示すように、ザル状容器２は、多数の通水孔を全面にわたって形成したものである。各通水孔の径は、米粒が通り抜けることがない程度の大きさに設けており、ザル状容器２内に米を溜め置くことができるようになっている。
【００２４】
ザル状容器２の上縁部２０からは、使用者が片手で把持可能な棒状の把持部９を外方に延設している。把持部９は、椀状容器１の凹溝５に嵌合する形状である。なお、本例では凹溝５にゴム部材８ａが固定してあるので、把持部９と凹溝５の形状を、ゴム部材８ａを介して嵌合するように設計している。
【００２５】
さらに、ザル状容器２の上縁部４の他所からは、複数の凸片１０を外方に延設している。凸片１０は、側面視Ｌ字状に屈折させたものであり、椀状容器１の上縁部４に対して上方から係止する形状になっている。なお、本例では上縁部４の全周にわたってゴム部材８ａを固定してあるので、各凸片１０は、ゴム部材８ａを介して上縁部４に係止する。
【００２６】
ザル状容器２に設けてある凸片１０のうち両端の２つは、該ザル状容器２の把持部９の中心軸Ｃを挟んだ線対称となる位置に、対を成すように設けてある。なお、複数対の凸片１０を線対称に配置してもよい。
【００２７】
攪拌具３は、適宜のものが使用可能であるが、その把持部１１には滑り止めのゴム部材１２を配してあることが好ましい。
【００２８】
上記構成から成る本発明の米研ぎ器を用いて、米研ぎ作業を行うには、椀状容器１内にザル状容器２を配置した状態において、椀状容器１を例えばキッチンのシンク底面８０上に載置し、ザル状容器２内に米を供給する。このとき、ザル状容器２の把持部９は、椀状容器１の凹溝５内にゴム部材８ａを介して弾性的に嵌合させる。各凸片１０は、椀状容器１の上縁部４にゴム部材８ａを介して弾性的に係止させる。
【００２９】
椀状容器１の排水孔７は、上記のようにセットしたザル状容器２の底２ａよりも上方に位置するように設けてある。
【００３０】
椀状容器１内には、キッチンの水栓８１を通じて上方から水を注入する。この注水により、椀状容器１内には、排水孔７と同程度またはそれよりも高い位置（つまりザル状容器２の底２ａよりも高い位置）にまで水が溜まる。ここで、使用者がザル状容器２の把持部９を片手で掴んで下方へと負荷Ｆを加えたうえで、もう片手で攪拌具３を持ち、該攪拌具３によってザル状容器２内の米を水中で攪拌させ、米研ぎを行う。
【００３１】
米研ぎ中の水圧や、攪拌具３がザル状容器２に当たる衝撃によって、椀状容器１やザル状容器２に対しては不意の外力が加わる。しかし、本発明の米研ぎ器では、上記のごとくザル状容器２の把持部９が椀状容器１の凹溝５内に上方からぴたりと嵌合し、且つ、ザル状容器２の一対の凸片１０が椀状容器１の上縁部４に上方から係止するように設けている。
【００３２】
これにより、使用者が把持部９を掴んでザル状容器２に対して上方から加えた負荷Ｆが、把持部９の嵌合や、凸片１０の係止を介して、椀状容器１内でのザル状容器２の位置を安定させるように作用する。さらに、ザル状容器２を通じて椀状容器１側に加えられた負荷Ｆが、椀状容器１のシンク底面８０上での位置を安定させるように作用する。
【００３３】
特に本例では、ザル状容器２の凹溝５を含む上縁部４全体と、椀状容器１の外底部に、共に滑り止めのゴム部材８を配しているので、椀状容器１とザル状容器２の位置はさらに安定化される。特にシンク底面８０は濡れて滑りやすいが、上記各構成の組み合わせによって、安定的な米研ぎが可能になっている。
【００３４】
上記ゴム部材８は、消音の作用も果たす。つまり、米研ぎの最中に、シンク底面８０に対して椀状容器１にがたつきを生じたり、椀状容器１内においてザル状容器２にがたつきを生じたりしても、その際の衝撃をゴム部材８の弾性が緩和するので、大きな音が立たないようになっている。
【００３５】
なお、ゴム部材８を配する箇所をザル状容器２の凹溝５だけとする構成、椀状容器１の外底部だけとする構成、凹溝５と椀状容器１の外底部だけとする構成等の、他の構成も適宜採用可能である。
【００３６】
加えて、線対称の位置にある一対の凸片１０の係止によって、ザル状容器２の椀状容器１に対する左右揺動は効果的に抑えられる。
【００３７】
ところで、椀状容器１からの排水は、側壁部６の排水孔７から継続的に行われる。そのため、使用者は適量の水を注入しながら米研ぎを行うだけでよい。つまり、排水のために特別な操作をすることなく、ザル状容器２の把持部９に負荷Ｆをかけながら攪拌具３でかき回すだけで、米研ぎを最後まで行うことができる。
【００３８】
さらに、ザル状容器２を所定位置にセットした状態において、椀状容器１とザル状容器２の底２ａとの間にはスペースＳが形成されており、米研ぎの最中、該スペースＳ内は常時水が貯留された状態となる。このスペースＳ内の水には、米研ぎ時の攪拌具３のかき回し動作によって、渦巻き方向の水流が生じる（図１中の矢印参照）。
【００３９】
スペースＳ内で生じる渦巻き方向の水流によって、該スペースＳのすぐ上方にあるザル状容器２内では、該ザル状容器２の底２ａに堆積する米が下方から攪拌される。つまり、ザル状容器２の下方にスペースＳを確保し、常時このスペースＳよりも上方にまで水が満たされるように排水孔７の高さを設定したことで、ザル状容器２の底２ａの全面に設けてある多数の通水孔を通じて、下方のスペースＳから及ぼされる水流によっても米を効率的に攪拌させることが可能になっている。
【００４０】
したがって、本発明の米研ぎ器によれば、手を水につけることなく、片手で把持部９を押さえながらもう片手で攪拌具３をかき回すといった簡単な作業によって、がたつきなく且つ効率的に米研ぎを行うことができる。しかも、椀状容器１にザル状容器２を配置するだけのシンプルな構成であるため、安価に提供することができ、また、収納にも場所をとることがない。
【００４１】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４２】
１  椀状容器
２  ザル状容器
３  攪拌具
４  上縁部
５  凹溝
６  側壁部
７  排水孔
８  ゴム部材
９  把持部
１０  凸片
Ｃ  中心軸
【図１】
2010207402.tif 000003
【図２】
2010207402.tif 000004
【図３】
2010207402.tif 000005
【図４】
2010207402.tif 000006